(57)【要約】【課題】アルミニウム製のような重量で硬い材質の軒樋を軒に沿って少ない作業工数で所定の位置に固定できるようにする。【解決手段】上部に凹段部２２を有する軒樋支持部材２と、前面部３１、底面部３２及び後面部３３を備え且つ後面部３３の上部に下向きの凸段部３５ｇを有する吊り片部３５を有する軒樋本体３と、軒樋本体３を４５度の傾斜角度で切断してなる軒樋部材３Ａ，３Ｂを継ぎ合わせて形成される外曲り４と内曲り５により軒樋構成体１を構成する。各樋は、屋根の軒側端部に沿って軒樋支持部材２を取り付け、軒樋支持部材２の凹段部２２に吊り片部３５を係合させて支持させた状態でドリルネジ１１で固定する。【選択図】図１
2014169599.tif 000002
【特許請求の範囲】
【請求項１】
上部に凹段部を有する軒樋支持部材と、
前面部、底面部及び後面部を備えて略々Ｕ字断面形状に形成されていて前記凹段部に係合する下向きの凸段部を有する吊り片部が前記後面部の上部に設けられてなる軒樋本体と、
前記軒樋本体をその軸方向に対して４５度の傾斜角度で切断して形成された一対の軒樋部材同士を接続して構成された外曲り又は内曲りとを備え、
前記軒樋本体と外曲り又は内曲りは、それぞれ屋根の軒側端部に沿って取り付けられた軒樋支持部材の凹段部に吊り片部の凸段部を係合させて支持され、且つ吊り片部を軒樋支持部材と軒先部材とにそれぞれ固着具で留め付けて軒に固定された構成を有することを特徴とする軒樋構成体。
【請求項２】
軒樋本体と外曲り又は内曲りが、屋根の側端部に沿って取り付けられた軒樋支持部材の凹段部に吊り片部の凸段部を係合させて支持され、且つ吊り片部を軒樋支持部材の重合面部と破風板の重合面部とにそれぞれ固着具で留め付けて屋根側端部に固定された構成を有することを特徴とする請求項１に記載の軒樋構成体。
【請求項３】
屋根勾配Ａの屋根に取り付けられる請求項１又は２に記載の軒樋構成体であって、
軒樋本体の前面部の上端と吊り片部の上端にそれぞれ開口部側へ突出した前側天面部と後側天面部が設けられ、両天面部は同一仮想平面上に配置さているとともに、この仮想平面と軒樋本体の底面部の前端を前方へ延長した仮想面との交差角度が前記屋根勾配Ａと同じとなるように軒樋本体が形成されたことを特徴とする軒樋構成体。
【請求項４】
前面部と前側天面部が直交するように設けるとともに、前面部と平行な傾斜面部を吊り片部に設けて軒樋本体が形成されたことを特徴とする請求項３に記載の軒樋構成体。
【発明の詳細な説明】
【技術分野】
【０００１】
本発明は、家屋の軒先に軒樋を取り付ける構造に係り、軒樋吊り具に代えて軒樋支持部材を軒先に取り付けて軒樋を固定する構造のものに関する。
【背景技術】
【０００２】
家屋の軒先に軒樋を取り付けるにあたり、軒の前面に複数の軒樋吊り具を所定の間隔を開けて設置し、軒樋の前後両面部を各軒樋吊り具に係合させて取り付けることが従来から行われている（例えば特許文献１参照）。
また、外壁の角部である出隅や入隅には、例えば図１１に示されるような屈曲形成された軒樋曲り継手１００を取り付け、この軒樋曲り継手１００を介して角部の両側の軒樋を接続するようにしている（例えば特許文献２，３参照）。
【先行技術文献】
【特許文献】
【０００３】
【特許文献１】特開平９−８８２７３号公報
【特許文献２】特開２００８−２１４９６７号公報
【特許文献３】特開２００３−２４７３０９号公報
【発明の概要】
【発明が解決しようとする課題】
【０００４】
アルミニウム製の樋は、強度が高く耐久性に優れるものの合成樹脂製のものと比べて高価であり、これまで主に公共施設や商業施設、マンションなどの大規模建物の雨水排水用竪樋などとして使用されていたが、近時、アルミ素材の持つ質感が醸し出す意匠性に着目して戸建て住宅の軒樋への使用も検討されつつある。
【０００５】
かかるアルミ軒樋は、合成樹脂製の軒樋と同様に軒樋吊り具を用いて設置することが可能であるが、軽量で弾性を有する合成樹脂製の軒樋と異なり、アルミ軒樋は合成樹脂製のものよりは重くて硬いため、これを複数の軒樋吊り具に係合させただけでは設置位置に安定的に保持することできない。アルミ軒樋を軒樋吊り具で吊下げただけでは、強風時に軒樋が軒にぶつかって衝撃音を発したり、軒樋吊り具から取り外れたりする虞がある。設置位置に確実に固定するために各軒樋吊り具に軒樋をネジ留めしたのでは、設置に要する作業工数が多大となる。
【０００６】
軒樋吊り具を用いずに、アルミ軒樋を直に軒に固定すれば軒樋吊り具を取り付ける作業が不要となって部品点数も減るが、その反面、軒樋の固定作業にあたり事前に軒樋の固定位置を精密に特定しておかなければならず、また、軒樋を固定位置に水平に支持する者と軒樋をネジ留めする者とが共同で作業する必要があるため、作業工数は多くならざるを得ない。アルミ軒樋は重量なため、一人の作業者では、これを軒に沿って支持しながら固定操作することはできない。
【０００７】
また、アルミ軒樋とともに出隅や入隅に取り付ける曲り継手や、屋根側端部の破風に沿って取り付ける樋がアルミニウム製であれば、屋根廻りの樋全体が、質感が統一されたデザインとなって意匠性が向上するが、専用の曲り継手やケラバ側の継手を成形したのでは加工コストが嵩張り、屋根の軒先廻りの施工コストの低廉化は図れない。
【０００８】
本発明は従来技術の有するこのような問題点に鑑み、アルミニウム製のような重量で硬い材質の軒樋を軒に沿って少ない作業工数で所定の位置に固定できるようにすること、及び屋根廻りの軒樋構成体を部材の加工コストの削減を図りつつ統一性があるデザインのものに構成することを課題とする。
【課題を解決するための手段】
【０００９】
前記課題を解決するため本発明の軒樋構成体は上部に凹段部を有する軒樋支持部材と、前面部、底面部及び後面部を備えて略々Ｕ字断面形状に形成されていて前記凹段部に係合する下向きの凸段部を有する吊り片部が前記後面部の上部に設けられてなる軒樋本体と、前記軒樋本体をその軸方向に対して４５度の傾斜角度で切断して形成された一対の軒樋部材同士を接続して構成された外曲り又は内曲りとを備え、
前記軒樋本体と外曲り又は内曲りは、それぞれ屋根の軒側端部に沿って取り付けられた軒樋支持部材の凹段部に吊り片部の凸段部を係合させて支持され、且つ吊り片部を軒樋支持部材と軒先部材とにそれぞれ固着具で留め付けて軒に固定された構成を有することを特徴とする。
【００１０】
本発明によれば、軒樋本体を軸方向に対して４５度の傾斜角度で切断して、端部が傾斜した形状の軒樋部材を複数形成しておき、出隅や入隅に沿った屈曲形状になるように、一対の軒樋部材の傾斜端部同士を接続することで、外曲りや内曲りが形成される。
軒樋構成体の施工は、先ず、軒樋支持部材を、その凹段部が軒の前方へ突出するように配置して、軒に沿って取り付ける。次いで、軒樋の吊り片部に設けた凸段部を軒樋支持部材の凹段部に係合させて軒樋本体を軒樋支持部材に支持させ、軒に沿って軒樋を仮留めした状態で固定位置を調整する。固定位置の調整は、軒樋を軒樋支持部材に沿ってスライドさせて行う。そして、固定位置を特定したならば、軒樋本体の吊り片部と軒樋支持部材の重合面部をドリルネジや留めネジ、ビスなどの固着具で留め付け、さらに吊り片部を鼻隠しなどの軒先部材に固着具で留め付けることにより、軒樋本体が軒に沿って取り付けられる。
これと同様にして、屋根の出隅や入隅についても、予め軒に沿って取り付けられた軒樋支持部材に、前記の如く形成した外曲りや内曲りを支持させ、外曲り又は内曲りの吊り片部を軒樋支持部材と軒先部材に固着具でそれぞれ留め付けることにより、外曲りや内曲りを固定することができる。
これによれば、予め軒に取り付けた軒樋支持部材に軒樋本体や外曲り、内曲りを支持させて仮留めしておくことができるので、仮留めした状態でその固定位置の調整が可能であり、軒樋本体などを複数人の作業者で支持することは不要であり、一人の作業者により仮留めした軒樋本体や外曲り、内曲りを正確な取り付け位置に固定することができる。
軒樋本体同士や、軒樋本体と外曲り又は内曲りを接続するには、端部同士の継ぎ目部分に跨るようにして内継手を嵌め合せ、これを接着固定することにより行うことができる。
【００１１】
前記構成の軒樋構成体は、屋根のケラバの棟側から軒側に亘って取り付けることができる。この場合に軒樋本体と外曲り又は内曲りは、屋根の側端部に沿って取り付けられた軒樋支持部材の凹段部に吊り片部の凸段部を係合させて支持され、且つ吊り片部を軒樋支持部材の重合面部と破風板の重合面部とにそれぞれ固着具で留め付けて屋根の側端部に固定することができる。外曲りと内曲りは屋根の側端部の角部に沿って取り付けられる。
これによれば、軒に沿って取り付けられる軒樋本体を屋根の側端部に取り付ける樋として使用することで、専用に成形された樋が不要となって部材の加工コストを削減することができる。また、軒側と屋根側端部側に同じ樋を取り付けることで、屋根の周辺部分を統一性のある見栄えの良い外観のものに収めることができる。
【００１２】
前記構成の軒樋構成体において、屋根勾配Ａの屋根に取り付ける場合に、軒樋本体は、その前面部の上端と吊り片部の上端にそれぞれ開口部側へ突出した前側天面部と後側天面部が設けられ、両天面部は同一仮想平面上に配置さているとともに、この仮想平面と軒樋本体の底面部の前端を前方へ延長した仮想面との交差角度が前記屋根勾配Ａと同じとなるように形成されていることが好ましい。
このように軒樋本体が形成されていれば、軒に取り付けた状態で、軒樋本体の上面の勾配と屋根の勾配とが略面一に揃って恰も軒樋本体が屋根の軒先部分に一体に組み込まれた如きすっきりとした外観のものとなり、屋根の軒廻りの見栄えが向上する。
【００１３】
また、前記構成の軒樋本体を、その前面部と前側天面部が直交するように設けるとともに、前面部と平行な傾斜面部を吊り片部に設けて形成することができる。このように形成された軒樋本体は、これを屋根の側端部に取り付けるときは、吊り片部と軒樋支持部材の重合面部と前記傾斜面部と破風板の重合面部をそれぞれ固着具で留め付けて固定される。
固定された軒樋本体は、その開口が屋根の勾配に沿った面内に配置されて屋根の側端部の側方へ張り出し、屋根側端部の下方の地上面に雨水を滴下することなく、樋内部に確実に集水して集水器器介して竪樋内部に流し落とすことができる。
【００１４】
なお、本発明の軒樋構成体は、アルミニウム製のような重量で硬い材質の軒樋を軒に沿って取り付ける場合に特に効果的であるが、各部材の材質はアルミニウムに限定されず、合成樹脂など他の材質のものにも適用が可能である。各部材の材質がアルミニウムの場合、部材同士の連結や軒への固定に用いる固着具としてはドリルネジが好適である。
【図面の簡単な説明】
【００１５】
【図１】本発明の一実施形態の軒樋構成体の軒樋の全体構成を示した外観図である。
【図２】図１の軒樋構成体による軒先の施工断面図である。
【図３】図２に示した軒樋支持部材の断面図である。
【図４】図１に示した軒樋本体の断面図である。
【図５】図１に示した軒樋本体の形態を説明するための図である。
【図６】軒樋本体を切断して形成される軒樋部材の構成を説明するための図である。
【図７】（Ａ）は外曲りの外観図、（Ｂ）は内曲りの外観図である。
【図８】（Ａ）及び（Ｂ）は図１の軒樋構成体の施工手順を説明するための図である。
【図９】図１の軒樋構成体を屋根の側端部に取り付ける場合の軒樋の全体構成を示した外観図である。
【図１０】屋根の側端部に取り付けられる軒樋構成体の施工断面図である。
【図１１】出隅に取り付けられる従来の樋曲りの外観図である。
【発明を実施するための形態】
【００１６】
本発明の好適な実施形態を、図面を参照して説明する。
図１は出隅と入隅を備えた家屋の屋根の軒に沿って取り付けられる軒樋の全体構成を示した図、図２は軒樋を取り付けた軒先の施工断面図であり、図中、符号１は軒樋構成体、２は軒樋支持部材、３は軒樋本体、４は外曲り、５は内曲り、６は垂木、７は鼻隠し、８Ａ，８Ｂは上部水切りと下部水切り、９は屋根材、１０は落ち葉除け板である。
前記軒樋構成体１を構成する軒樋支持部材２と軒樋本体３はアルミ形材により形成されており、後述するように、外曲り４と内曲り５は軒樋本体３を所定形状に切断してなる軒樋部材３Ａ，３Ａ同士を一体に接続して形成してある。
【００１７】
軒樋支持部材２は、鼻隠し７の端部に沿って取り付けられる長尺な部材であり、図３に示されるように、鼻隠し７の上面と前面に接合する断面Ｌ字形に屈曲した端部被覆面２１を有し、端部被覆面２１の前面に横向きＵ字形に折り返した屈曲面部２２を突出させ、この屈曲面部２２の上部に下向きに凹んだ凹段部２３を設けて形成してある。
【００１８】
軒樋本体３は、図４に示されるように、前面部３１、底面部３２及び後面部３３を有して上部を開口部３４とした略々Ｕ字断面形状をなし、後面部３３の上部に、軒樋支持部材２の凹段部２３に係合する凸段部３５ｇを有する吊り片部３５を設けて形成してある。
詳しくは、軒樋本体３の前面部３１は底面部３２の前端から斜め上方へ屈曲して立ち上がっており、前面部３１の上端には、軒樋本体３の開口部３４側へ折れて突出した前側天面部３１ａが設けられ、この前側天面部３１ａの端部に凹状の折り返し部３１ｂを設けてある。
軒樋本体３の後面部３３は底面部３２に対して直角に上方に折れ曲がっており、後面部３３の上部に設けた吊り片部３５は、後面部３３の上端から前方へ直角に折れた前方屈曲部３５ａと前方屈曲部３５ａの前端から上方へ直角に折れた受け面部３５ｂと受け面部３５ｂの上端から上方斜め前方へ折れた傾斜面部３５ｃと傾斜面部３５ｃの上端から開口部３４側へ折れた前方折れ部３５ｄとを連ね、さらに、前方折れ部３５ｄの上面に上方へ折れた上方折れ部３５ｅを設けるとともに、この上方折れ部３５ｅの上端に一端が開口部３４側へ折れて突出し、他端が後方へ突出した後側天面部３５ｆを設け、且つ後側天面部３５ｆの面内に下向きに突出した凸段部３５ｇを設けた形状としてある。
【００１９】
さらに、軒樋本体３は、図５に示されるように、その前面部３１の上端の前側天面部３１ａと、吊り片部３５の上端の後側天面部３５ｆが、同一の仮想平面Ｔ上に配置されており、この仮想平面Ｔと、軒樋本体３の底面部３２の前端を前方へ延長した仮想面Ｂとの交差角度ａが、軒樋構成体１を施工する家屋の屋根勾配Ａと同じとなるように構成してある。
本形態では、屋根勾配１／２（２６．５度の角度勾配；図２参照）の家屋の屋根に対応させて、前記交差角度ａを２６．５度に設定してある。
また、図５に示されるように、軒樋本体３は、その前面部３１とその上端の前側天面部３１ａとが直交するように設け、且つこの前面部３１と後面部３３上方の傾斜面部３５ｃが平行となるように設けてある。
【００２０】
外曲り４と内曲り５は、図６に示されるように、軒樋本体３をその軸方向（Ｏ−Ｏ方向）に対して４５度の傾斜角度で切断して複数の軒樋部材３Ａ，３Ｂを形成し、一対の軒樋部材３Ａ，３Ｂの傾斜端部同士を一体に継ぎ合わせて形成してある。
図７（Ａ）に示されるように、外曲り４は、前面部３１が直角に外折れするように軒樋部材３Ａ，３Ａの傾斜端部を継ぎ合わせ、折れ部となる継ぎ目部分の内面に継手部材４１，４２を接着固定することにより、軒樋部材３Ａ，３Ａを一体に接続して形成してある。
また、同図（Ｂ）に示されるように、内曲り５は、前面部３１が直角に内折れするように軒樋部材３Ｂ，３Ｂの傾斜端部を継ぎ合わせ、折れ部となる継ぎ目部分の内面に継手部材５１，５２を接着固定することにより、軒樋部材３Ｂ，３Ｂを一体に接続して形成してある。
【００２１】
これらの部材からなる軒樋構成体１の施工は、例えば以下の作業手順により行うことができる。
図８に示されるように、先ず、軒樋支持部材２を鼻隠し７の端部に沿って取り付ける（同図（Ａ））。
取り付けは、垂木６の下側に取り付けられる下部水切り８Ｂの上端に軒樋支持部材２の屈曲した端部被覆面２１を重ねて鼻隠し７の上面と前面の角部にあてがい、端部被覆面２１の上方からドリルネジ１１を鼻隠し７の上面にねじ込んで行う。鼻隠し７の取り付けられた軒樋支持部材２は、その凹段部２３が軒の縁部に沿って前方へ突出した位置に設置される。
【００２２】
軒に沿って軒樋支持部材２を取り付けたならば、軒樋本体３を軒樋支持部材２に支持させて取り付ける（同図（Ｂ））。
軒樋本体３の支持は、軒の前方に持ち上げた軒樋本体３を、その吊り片部３５が軒樋支持部材２に被さるように操作して、吊り片部３５の凸段部３５ｇを軒樋支持部材２の凹段部２３に係合させることにより行うことができる。
軒樋本体３を軒樋支持部材２に支持させた状態で、軒樋本体３は、その吊り片部３５の上方折れ部３５ｅが軒樋支持部材２の屈曲面部２２の前面に重合するとともに、後面部３３上端の前方屈曲部３５ａとの角部と傾斜面部３５ｃとが鼻隠し７の前面に接合する。
軒樋本体３を軒樋支持部材２に支持させたならば、軒に沿って軒樋本体３をスライドさせながら固定位置を調整し、固定位置を特定したならば、前記吊り片部３５の上方折れ部３５ｅと軒樋支持部材２の屈曲面部２２との重合面部にドリルネジ１１をねじ込んで一体に接続し、さらに受け面部３５ｂの前方からねじ込んだドリルネジ１１を鼻隠し７に留め付けて軒樋本体３を軒に固定する。ドリルネジ１１による留め付けは、軒に沿って複数箇所で行われる。
【００２３】
外曲り４と内曲り５の取り付けも、前記と同様にして、軒に沿って取り付けられた軒樋支持部材２に外曲り４、内曲り５を支持させ、それぞれの吊り片部３５を軒樋支持部材２と鼻隠し７にドリルネジ１１で留め付けることにより行われる。外曲り４と内曲り５の、軒樋本体３との接続は、互いに端部同士を突き合わせ、継ぎ目部分に跨るようにして内継手（図示せず）を嵌め合せ、これを接着固定することにより行うことができる。
【００２４】
軒に沿って軒樋本体３、外曲り４及び内曲り５を取り付けたならば、鼻隠し７の上部に上部水切り８Ａを取り付け、次いで、屋根材９を取り付ける屋根工事を行った後、軒樋本体３、外曲り４及び内曲り５の開口部３４上に落ち葉除け板１０を取り付けて屋根廻りの工事が完了する。
【００２５】
図９及び図１０は出隅と入隅を備えた家屋の屋根の側端部に沿って樋を取り付ける形態を示しており、この場合も、前記軒樋本体３、外曲り４及び内曲り５を用い、これらを前記形態と同様の作業手順により取り付けることができる。
すなわち、先ず、軒樋支持部材２を破風板１２の端部に沿って、棟側から軒側に亘り取り付け、次いで、軒樋本体３をその吊り片部３５の凸段部３５ｇを軒樋支持部材２の凹段部２３に係合させて、軒樋支持部材２に支持させる。
図１０に示されるように、軒樋支持部材２に支持させた状態で、軒樋本体３は、その開口部３４が破風板１２の側方に張り出し、その吊り片部３５の上方折れ部３５ｅが軒樋支持部材２の屈曲面部２２の前面に重合するとともに、傾斜面部３５ｃが破風板１１の側面に接合する。
【００２６】
そして、軒樋本体３の固定位置を調整した後、吊り片部３５の上方折れ部３５ｅと軒樋支持部材２の屈曲面部２２との重合面部にドリルネジ１１をねじ込んで一体に接続し、さらに傾斜面部３５ｃをドリルネジ１１で破風板１２に固定する。を鼻隠し７に留め付けて軒樋本体３を軒に固定する。
外曲り４と内曲り５も同様にして取り付けられ、それぞれの端部が内継手により軒樋本体３の端部に接続される。その後、上部水切り板８Ａを取り付けて屋根材９の取り付け工事が行われ、各樋の開口部３４上に落ち葉除け板１０を取り付けて屋根側端部の工事が完了する。
【００２７】
なお、図示した軒樋構成体１の各構成部材は本発明の実施形態の一例を示すものであり、本発明はこれに限定されず、軒樋を取り付ける建物の軒の形状や寸法などに応じて、他の適宜な形態で構成することが可能である。
【符号の説明】
【００２８】
１  軒樋構成体、２  軒樋支持部材、２３  凹段部、３  軒樋本体、３４  開口部、３５  吊り片部、３７ｇ  凸段部、３Ａ，３Ｂ  軒樋部材、４  外曲り、５  内曲り、６  垂木、７  鼻隠し、８Ａ，８Ｂ  上下水切り、９  屋根材、１０  落ち葉除け板、１１  ドリルネジ、１２  破風板
【図１】
2014169599.tif 000003
【図２】
2014169599.tif 000004
【図３】
2014169599.tif 000005
【図４】
2014169599.tif 000006
【図５】
2014169599.tif 000007
【図６】
2014169599.tif 000008
【図７】
2014169599.tif 000009
【図８】
2014169599.tif 000010
【図９】
2014169599.tif 000011
【図１０】
2014169599.tif 000012
【図１１】
2014169599.tif 000013